(57)【要約】【課題】梁に設備配管類を貫通させる必要がなく、柱割が異なる部屋を同一床面に配置する。【解決手段】外壁を構成する板状の構造体１２はコンクリートで形成され、構造体１２で囲まれた内部には内部柱１４が建てられ、内部柱１４には扁平梁１８が構造体１２Ｐと平行に架けられている。構造体１２Ｐと内部柱１４で囲まれたエリア６６が病室とされる。構造体１２Ｑと平行に内部柱１７が建てられ、内部柱１７には扁平梁２１が架けられ、構造体１２Ｑと内部柱１７で囲まれたエリア７０が病室とされる。内部柱１４と平行に内部柱１５が建てられ、内部柱１５には扁平梁１９が架けられ、内部柱１４と内部柱１５の間のエリア６７が廊下とされる。内部柱１７と平行に内部柱１６が建てられ、内部柱１６には扁平梁２０が架けられ、内部柱１７と内部柱１６の間のエリア６９が廊下とされる。内部柱１５と内部柱１６の間のエリア６８がナースステーションとされる。【選択図】図１
2010126901.tif 000002
【特許請求の範囲】
【請求項１】
開口部を備えた外壁を構成する柱、梁及び壁が一体となった板状の構造体と、
前記構造体で囲まれた空間に配置される内部柱と、
前記内部柱と前記内部柱の間、又は前記内部柱と前記構造体の間に架設され、成と幅の寸法が同等、若しくは成より幅寸法が大きい扁平梁と、
を有する構造物。
【請求項２】
前記構造体は、板状の壁柱と板状の壁梁が一体形成され、前記開口部を備えたコンクリート製外壁である請求項１に記載の構造物。
【請求項３】
前記扁平梁は、上面が前記扁平梁の上面と同一面となるスラブを支持する請求項１又は請求項２に記載の構造物。
【請求項４】
前記スラブは、小梁で支持されない無梁版である請求項３に記載の構造物。
【請求項５】
前記構造体で囲まれた空間に大部屋と小部屋を構築し、前記大部屋の前記内部柱の間隔を、前記小部屋の前記内部柱の間隔より大きくする請求項１〜請求項４のいずれか１項に記載の構造物。
【請求項６】
前記小部屋は、前記構造体側に構築される請求項１〜請求項５のいずれか１項に記載の構造物。
【請求項７】
前記小部屋と前記大部屋の間に、廊下が設けられている請求項１〜請求項６のいずれか１項に記載の構造物。
【請求項８】
前記構造体の外形の一部が三角形状に突き出しており、前記大部屋の平面形状が三角形であり、前記大部屋を構成する前記内部柱の列が前記構造体と平行になっている請求項１〜請求項７のいずれか１項に記載の構造物。
【発明の詳細な説明】
【技術分野】
【０００１】
本発明は、機能の異なる部屋が配置される構造物に関する。
【背景技術】
【０００２】
一般に、病院、医療施設、ホテル、研究施設等では、外壁に沿って少人数向けの多くの小部屋が配置され、内部側には、例えば診断や治療用等の大きな部屋が配置されている。これらの大きな部屋の多くは、診断や治療のための機器や設備類を備えた機能室とされている。
【０００３】
小部屋と機能室には、それぞれの用途により決定される最適な柱割（柱間隔）があり、小部屋と機能室の最適な柱割は異なる。しかし、柱割は構造物の強度を決定する要素であり、設計強度上の制約から、いずれか片方の最適な柱割に統一せざるを得ない場合が生じる。この場合、最適な柱割とされない空間には無駄なスペースが生じてしまう。
【０００４】
また、病院などの機能室は高い天井高を必要とするが、階高が制限されている建物では、大きな部屋となる機能室は梁成が大きくなることに加え、多くの設備配管類を必要とし、天井内空間に設備配管類の配置スペースを確保すると天井高が低くなる。この結果、機能室として要求される天井高が確保できないという問題がある。
【０００５】
一方、階高制限をなくして機能室の階高を高くすると、建物全体の高さが高くなる。このことは、例えば高さ制限に伴う制約や防災上の制限などの、新たな法的な制約が発生するのみならず、構造的にも不経済となる。
【０００６】
階高を変えずに、できるだけ高い天井高を確保し、機能室を必要な場所に自在に配置でき、更に、設備変更に伴う天井内の設備配管類の更新が容易に行なえる、自在性の高い構造物が求められている。
【０００７】
このような背景の下、廊下の両側に機能室を設け、機能室の天井内に配置される設備配管類を廊下に配置することで、機能室の天井高を確保する技術が提案されている（特許文献１）。
【０００８】
即ち、図８に示すように、特許文献１に記載の建物９６は、廊下８０の両側に教室（機能室）８２を配置し、廊下８０を無梁スラブ９０とし、設備配管用の設備スペース８８を廊下８０と教室８２の間に設けた前室８４の天井に配置している。これにより、教室８２の天井面から設備配管類をなくせ、その分教室８２の天井高を高くできる。
【０００９】
しかし、特許文献１に記載の建物９６は、一般的な柱梁構造であり教室８２は柱と梁で構成されている。このため、教室８２の上部には梁９２、９４が架けられており、廊下８０の上部から教室８２の内部へ設備配管類を引き込むには、梁９２を貫通させなければならないという問題がある。
【特許文献１】特開２００４−７６２７３号公報
【発明の開示】
【発明が解決しようとする課題】
【００１０】
本発明は、上記事実に鑑み、梁に設備配管類を貫通させる必要がなく、柱割が異なる部屋を同一床面に配置できる構造物を提供することを目的とする。
【課題を解決するための手段】
【００１１】
請求項１に記載の発明に係る構造物は、開口部を備えた外壁を構成する柱、梁及び壁が一体となった板状の構造体と、前記構造体で囲まれた空間に配置される内部柱と、前記内部柱と前記内部柱の間、又は前記内部柱と前記構造体の間に架設され、成と幅の寸法が同等、若しくは成より幅寸法が大きい扁平梁と、を有することを特徴としている。
【００１２】
請求項１に記載の発明によれば、開口部を備えた板状の構造体が外壁を構成し、内部柱が構造体で囲まれた空間に配置され、扁平梁が内部柱と内部柱の間、又は内部柱と構造体の間に架設されている。
【００１３】
構造体が地震による水平荷重を負担し、内部柱は主として鉛直荷重を負担すればよいので、内部柱の断面積を小さくできる。更に、内部柱が構造物に作用する水平荷重を考慮しなくてもよいため、柱割の自由度が増す。
また、従来、内部柱を利用して格子状に交差させるのを基本としていた梁の方向を、一方向に架けることが可能となり、梁と平行に設備配管類を配置することで、設備配管類の処理が容易となる。
【００１４】
また、梁を扁平梁としているので、天井内空間への梁下面の突出し量が小さく、天井内空間に配置された設備配管類の高さが、梁の下面より低い位置となり、扁平梁に設備配管類を貫通させるための貫通孔を設ける必要がない。この結果、梁の強度低下が防げると共に、設備配管類の施工が容易となる。また、設備配管類のメンテナンスや増設、及び、将来、更新する場合の作業性が向上する。
更に、梁成を低くできるので、梁の型枠の使用量が減り、施工コストが低減できる。
【００１５】
請求項２の発明は、請求項１に記載の構造物において、前記構造体は、板状の壁柱と板状の壁梁が一体形成され、前記開口部を備えたコンクリート製外壁であることを特徴としている。
【００１６】
請求項２に記載の発明によれば、構造体は開口部を備えたコンクリート製外壁であり、コンクリート製外壁は、柱及び袖壁を一体化した壁柱と、腰壁、垂壁及び大梁を一体化した壁梁を有し、地震時に構造物に作用する水平荷重を受ける。
このように、外殻構造としてのコンクリート製外壁が地震力を負担するので、内部柱が負担する地震力を考慮する必要がなくなり、内部柱の柱割の自由度が増す。
【００１７】
請求項３の発明は、請求項１又は請求項２に記載の構造物において、前記扁平梁が、上面が前記扁平梁の上面と同一面となるスラブを支持することを特徴としている。
請求項３に記載の発明によれば、スラブの上面が扁平梁の上面と同一面とされている。このように、スラブの上面を扁平梁の上面と同一面とすることで、同じ階高でも天井高さを高くできる。
【００１８】
請求項４の発明は、請求項３に記載の構造物において、前記スラブは、小梁で支持されない無梁版であることを特徴としている。
請求項４に記載の発明によれば、無梁版が扁平梁に支持され、上面が扁平梁の上面と同一面とされている。無梁版には小梁がないので、床面から無梁版に至る仕切り壁のレイアウトの自由度が増す。
【００１９】
請求項５の発明に係る、請求項１〜請求項４のいずれか１項に記載の構造物は、前記構造体で囲まれた空間に大部屋と小部屋を構築し、前記大部屋の前記内部柱の間隔を、前記小部屋の前記内部柱の間隔より大きくすることを特徴としている。
【００２０】
請求項５に記載の発明によれば、同一床面に構築された大部屋の内部柱の間隔が、小部屋の内部柱の間隔より大きい。即ち、階高を高くせず、同一床面にある柱割の異なる小部屋と大部屋を、それぞれ最適な柱割とすることができ、室内から邪魔となる柱をなくすことができ、部屋の有効活用ができる。
【００２１】
請求項６に記載の発明に係る、請求項１〜請求項５のいずれか１項に記載の構造物は、前記小部屋は、前記構造体側に構築されることを特徴としている。
請求項６に記載の発明によれば、小部屋が構造体側に構築されている。これにより、居室等のプライベートな用途に多く利用される小部屋を、窓からの景観が得られる位置に配置し、小部屋としての価値を高めることができる。
【００２２】
請求項７に記載の発明に係る、請求項１〜請求項６のいずれか１項に記載の構造物は、前記小部屋と前記大部屋の間に、廊下が設けられていることを特徴としている。
請求項７に記載の発明によれば、廊下が小部屋と大部屋の間に設けられている。これにより、小部屋と大部屋の位置を物理的に離すことができ、小部屋の独立性が確保される。また、騒音等が遮断され、プライバシーが保護される。
【００２３】
請求項８に記載の発明に係る、請求項１〜請求項７のいずれか１項に記載の構造物は、前記構造体の外形の一部が三角形状に突き出しており、前記大部屋の平面形状が三角形であり、前記大部屋を構成する前記内部柱の列が前記構造体と平行になっていることを特徴としている。
【００２４】
請求項８に記載の発明によれば、構造体の一部が三角形状に突き出しており、大部屋の平面形状も三角形とされている。これにより、四角形状に突き出した構造と比較すると、角部屋が１つになるので、小部屋を効率よく配置できる。
【発明の効果】
【００２５】
本発明は、上記構成としてあるので、梁に設備配管類を貫通させる必要がなく、柱割が異なる部屋を同一床面に配置できる。
【発明を実施するための最良の形態】
【００２６】
（第１の実施の形態）
図１の水平断面図に示すように、第１の実施の形態に係る病院１０は、外壁を構成する板状の構造体１２を有している。構造体１２は、連続して病院１０の外壁を構成し、構造体１２で囲まれた内部には、内部柱１４が建てられている。
【００２７】
構造体１２は、図２に示すように、外壁を構成する柱と袖壁を平板状に一体化した壁柱２６と、同じく外壁を構成する腰壁、垂壁及び大梁を平板状に一体化した壁梁２８を有し、壁柱２６と壁梁２８は、コンクリートで一体成形されている。そして、壁柱２６と壁柱２６の間、壁梁２８と壁梁２８の間には、窓となる開口部３０が設けられている。
【００２８】
内部柱１４の列は、構造体１２が直線状とされている構造体１２Ｐと、平行に建てられている。内部柱１４は、所定の柱間隔で建てられ、内部柱１４と内部柱１４の間、内部柱１４と構造体１２の間には、扁平梁１８が架けられている。
扁平梁１８は、成と幅の寸法が同等、若しくは成より幅の寸法が大きい梁であり、構造体１２Ｐと平行な方向に一方向（桁行方向）にのみ架けられ、これと直交する方向（梁間方向）には架けられていない。
【００２９】
これにより、構造体１２Ｐと内部柱１４で囲まれたエリア６６が形成される。エリア６６は、病室用のエリアであり、間仕切壁（図示せず）で小部屋に仕切られ病室とされる。
また、構造体１２Ｐと対向する位置には、構造体１２Ｑが構造体１２Ｐと平行に設けられている。
【００３０】
構造体１２Ｑと所定の間隔を開けて平行に、内部柱１７の列が建てられており、内部柱１７と内部柱１７の間、内部柱１７と構造体１２の間には扁平梁２１が架けられている。これにより、構造体１２Ｑと内部柱１７の列で囲まれたエリア７０が形成される。エリア７０は病室用のエリアであり、間仕切壁（図示せず）で小部屋に仕切られ病室とされる。
【００３１】
また、構造体１２の内部側には、内部柱１４の列と平行に内部柱１５の列が建てられている。内部柱１５は、所定の柱間隔で建てられ、内部柱１５と内部柱１５の間、内部柱１５と構造体１２の間には、扁平梁１９が架けられている。これにより、内部柱１４の列と内部柱１５の列で囲まれたエリア６７が形成される。エリア６７は廊下用のエリアであり、内部柱１４と内部柱１５間に設けられた壁（図示せず）で仕切られ、廊下とされる。
【００３２】
同じく、構造体１２の内部側には、内部柱１７の列と平行に内部柱１６の列が建てられている。内部柱１６は、所定の柱間隔で建てられ、内部柱１６と内部柱１６の間、内部柱１６と構造体１２の間には、扁平梁２０が架けられている。これにより、内部柱１７の列と内部柱１６の列で囲まれたエリア６９が形成される。エリア６９は、廊下用のエリアであり、内部柱１６と内部柱１７間に設けられた壁（図示せず）で仕切られ廊下とされる。
【００３３】
そして、内部柱１５の列と内部柱１６の列の間には、エリア６８が形成される。エリア６８は、ナースステーション用のエリアであり、間仕切壁（図示せず）で大部屋に仕切られ、ナースステーションとされる。
【００３４】
なお、図３に示すように、上記と同じ敷地に、従来の柱梁構造（ラーメン架構）で病院１１を建て、病室用エリア、廊下用エリア、及びナースステーション用エリアを同じ位置に配置とした場合、以下の構成となる。
即ち、所定間隔で建てられた柱１１４には、格子状に梁１１６が架けられ、外壁１３は、柱１１４と梁１２８に加え、袖壁、腰壁、垂壁で構成され、窓３０が設けられる。この状態で、対向する外壁１３Ｐと外壁１３Ｑに面して病室用のエリア１１８、１２６を配置し、病室用のエリア１１８、１２６と隣接させて廊下用のエリア１２０、１２４を配置し、廊下用のエリア１２０、１２４に挟まれてナースステーション用のエリア１２２が配置される。
【００３５】
この結果、病室用のエリア１１８、１２６、廊下用のエリア１２０、１２４、及びナースステーション用のエリア１２２は、いずれも、格子状とされた梁１１６がエリアの上部を横切る構成となる。また、柱１１４列の位置と異なる場所に、それぞれのエリアを区分けするための仕切壁１２８が構築される。
また、配管部材３２は廊下１２０、１２４の天井内空間に配置されるが、配管部材３２と多くの梁１１６が交差する。また、廊下１２０、１２４から、病室用のエリア１１８、１２６やナースステーション用のエリア１２２に配管部材３２を引き込む場合にも、配管部材３２と梁１１６が交差する。
【００３６】
従来の柱梁構造では、鉛直荷重及び地震時の水平荷重を、柱１１４と梁１１６の架構が負担する。このため、柱１１４及び梁１１６は、これらの荷重を受けるのに必要な断面寸法とされ、柱１１４は、上述の柱１４より大きい寸法とされ、梁１１６は上述の扁平梁２０でなく、幅より成が大きい標準的な梁とされる。
このように従来の柱梁構造では、構造が複雑となり建設コストが高くなる。更に、配管部材３２と交差する多くの梁１１６には、配管部材３２を通すための貫通穴が必要となり、施工の手間に加え梁１１６の強度が低下する。
【００３７】
更に、図１に示すように、構造体１２Ｑの端部には、外に向けて、構造体１２Ｒと構造体１２Ｓが直線状に突き出され、四角形のエリアが設けられている。
突き出された四角形のエリアには、構造体１２Ｒと所定の間隔を開けて内部柱４２の列が建てられており、内部柱４２と内部柱４２の間、内部柱４２と構造体１２の間には扁平梁４４が架けられている。これにより、構造体１２Ｒと内部柱４２の列で囲まれたエリア７１が形成される。エリア７１は病室用のエリアであり、間仕切壁（図示せず）で小部屋に仕切られ、病室とされる。
【００３８】
また、構造体１２Ｓと所定の間隔を開けて、内部柱４３の列が建てられており、内部柱４３と内部柱４３の間、内部柱４３と構造体１２の間には扁平梁４５が架けられている。これにより、構造体１２Ｓと内部柱４３の列で囲まれたエリア７３が形成される。エリア７３は病室用のエリアであり、間仕切壁（図示せず）で小部屋に仕切られ病室とされる。
【００３９】
また、内部柱４２の列と内部柱４３の列の間にエリア７２が形成される。エリア７２は廊下用のエリアであり、内部柱４２と内部柱４３間に設けられた壁（図示せず）で仕切られ、廊下とされる。
【００４０】
次に、立面構成について図４を用いて説明する。
図４は、図１のＸ−Ｘ断面であり、病室のエリア７０は、２階床版２３、３階床版２３、及び屋上版２３で上下方向に仕切られている。床版２３には、一般的な構造のスラブ若しくは小梁で支持されない無梁版が用いられている。このとき、床版２３の上面が扁平梁２１の上面と同一面とされている。また、各階の床版２３の下には天井材３４（２点鎖線で表示）が取付けられ、床版２３と天井材３４の間には天井内空間３８が形成されている。そして、天井内空間３８には、設備配管用の配管部材３２が配置されている。
【００４１】
同様に、廊下のエリア６９の２階床版２４、３階床版２４、及び屋上版２４は無梁版で形成され、それぞれの床版２４の下には天井材３５が取付けられ、床版２４と天井材３５の間には天井内空間３９が形成されている。また、天井内空間３９には、配管部材３２が扁平梁２０と平行に配置されている。配管部材３２は、廊下の天井内空間３９から、病室のエリア７０の天井内空間３８や、ナースステーション用のエリア６８の天井内空間４０に引き込まれる。
【００４２】
ナースステーション用のエリア６８も同じ立面構成である。さらに、図示されていない、病室用のエリア６６、病室用のエリア７１、病室用のエリア７３、廊下用のエリア６７、廊下用のエリア７２も、すべて同じ立面構成である。
【００４３】
次に、作用、効果について説明する。
構造体１２は、既述のように、壁柱２６と壁梁２８をコンクリートで一体形成した構造とされ、高い耐震性能を備えている。また、構造体１２は、病院１０の全周に設けられている。これにより、地震時には、病院１０に作用する水平荷重の大部分を構造体１２が負担することができる。
【００４４】
即ち、構造体１２が病院１０の外壁を形成し、いわゆる外殻構造とされており、構造体１２が地震力の大部分を負担するので、内部柱１４〜１７、４２、４３が負担する地震力は小さくて良い。この結果、内部柱１４〜１７、４２、４３の断面積を小さくできると共に、柱割の自由度が増す。
【００４５】
また、内部柱１４〜１７、４２、４３の柱割の自由度が増すことで、同一床面に構築されるナースステーション用のエリア６８の柱間隔、及び各病室用のエリア６６、７０、７１、７３の柱間隔をそれぞれ異ならせることができる。
【００４６】
これにより、ナースステーション用のエリア６８、及び病室用のエリア６６、７０、７１、７３を、それぞれ最適な柱割とすることができ、これらの室内から柱割の都合上生じてしまう収まりの悪い柱をなくすことができる。この結果、部屋の有効活用ができる。
【００４７】
例えば、図５（Ａ）（Ｂ）に示すように、病室用のエリア６６の内部柱１４の柱割と、同じく病室用のエリア７０の内部柱１７の柱割を異ならせ、エリア６６側には二人部屋の病室を設け、エリア７０側には個室の病室を設けることができる。図示は省略するが、ナースステーション用のエリア６８の柱割も当然、これらと異ならせることができる。
【００４８】
また、構造体１２に沿って病室用のエリア６６、７０、７１、７３が配置されている。これにより、窓１８に面し、窓１８からの景観が得られる位置にすべての病室が配置され、病室の価値を高めることができる。
【００４９】
また、梁を扁平梁１８〜２１、４４、４５としているので、天井内空間３８〜４０への梁下面の突出し量が小さくなる。この結果、天井内空間３８〜４０に配置された配管部材３２の高さが、扁平梁１８〜２１、４４、４５の下面より低い位置となる。
【００５０】
これにより、例えば、廊下用エリア６９の天井内空間３９に配置した配管部材３２を、病室用のエリア６６やナースステーション用のエリア６８に引き込む際に、扁平梁２０、２１に貫通孔を開ける必要がない。
【００５１】
扁平梁２０、２１に貫通孔を開ける必要がないことにより、扁平梁２０、２１の強度低下が防げると共に、配管部材３２の施工が容易となる。また、配管部材３２のメンテナンスや増設、及び、将来、更新する場合の作業性も向上する。更に、梁成を低くできるので、梁の型枠の使用量が減らせ、施工コストが低減できる。
【００５２】
また、水場配管用の基礎ピット４６を廊下用エリア６９及びナースステーション用のエリア６８の基礎部に集約している。これにより、給排水設備用の縦シャフト３３を廊下用エリア６９側に配置することで、病室用のエリア７０の配管処理が可能となる。この結果、病室用のエリア７０の天井高を高く維持できる。さらに、病室用のエリア７０の基礎はマットスラブ４８で構成でき、施工コストが低減できる。
【００５３】
また、床版２３〜２５の上面を扁平梁１９〜２１の上面と同一面としている。これにより、同じ階高でも天井高さを高くできる。床版２３〜２５には小梁がないので、床版２３〜２５と床版２３〜２５の間を仕切る仕切壁のレイアウトの自由度が増す。
【００５４】
以上、病院１０について説明したが、本発明は、病院に限られるものではなく、医療施設、ホテル、研究施設等の構造物にも適用できる。
【００５５】
（第２の実施の形態）
図６の水平断面図に示すように、第２の実施の形態に係る病院５０は、外壁を構成する板状の構造体５２を有し、構造体５２の外形の一部が、平面視が三角形状に外へ突き出している。
【００５６】
構造体５２は、第１の実施の形態で説明した構造体１２と同じ構成であり、説明は省略する。構造体５２の直線状の部分である構造体５２Ｔと構造体５２Ｕが、それぞれに外に突き出し、構造体５２Ｖとで平面形状が三角形を形成している。
【００５７】
直線状とされた構造体５２Ｔと平行に、内部柱５４の列が建てられている。内部柱５４は、所定の柱間隔で建てられ、内部柱５４と内部柱５４の間には扁平梁６０が架けられている。扁平梁６０は、構造体５２Ｔと平行な方向に一方向に架けられている。
【００５８】
これにより、構造体５２Ｔと内部柱５４の列で囲まれた病室用のエリア７４が形成される。エリア７４は、間仕切壁（図示せず）で小部屋に仕切られ、病室とされる。
【００５９】
また、直線状とされた構造体５２Ｕと平行に、内部柱５６の列が建てられている。内部柱５６は、所定の柱間隔で建てられ、内部柱５６と内部柱５６の間には、扁平梁６２が架けられている。扁平梁６２は、構造体５２Ｕと平行な方向に一方向に架けられている。
【００６０】
これにより、構造体５２Ｕと内部柱５６の列で囲まれた病室用のエリア７５が形成される。エリア７５は、間仕切壁（図示せず）で小部屋に仕切られ、病室とされる。
また、直線状とされた構造体５２Ｖと平行に、内部柱５８の列が建てられている。内部柱５８は、所定の柱間隔で建てられ、内部柱５８と内部柱５８の間には、扁平梁６４が架けられている。扁平梁６４は、構造体５２Ｖと平行な方向に一方向に架けられている。
【００６１】
これにより、構造体５２Ｖと内部柱５８の列で囲まれた病室用のエリア７６が形成される。エリア７６は、間仕切壁（図示せず）で小部屋に仕切られ、病室とされる。
【００６２】
構造体５２Ｔの内部側には、内部柱５４の列と平行に内部柱５５の列が建てられている。内部柱５５は、所定の柱間隔で建てられ、内部柱５５と内部柱５５の間には、扁平梁６１が架けられている。これにより、内部柱５４の列と内部柱５５の列で囲まれた廊下用のエリア７７が形成される。エリア７７は、内部柱５４と内部柱５５間に設けられた壁（図示せず）で仕切られ、廊下とされる。
【００６３】
また、構造体５２Ｕの内部側には、内部柱５６の列と平行に内部柱５７の列が建てられている。内部柱５７は、所定の柱間隔で建てられ、内部柱５７と内部柱５７の間には、扁平梁６３が架けられている。これにより、内部柱５６の列と内部柱５７の列で囲まれた廊下用のエリア７８が形成される。エリア７８は、内部柱５６と内部柱５７間に設けられた壁（図示せず）で仕切られ、廊下とされる。
【００６４】
また、構造体５２Ｖの内部側には、内部柱５８の列と平行に内部柱５９の列が建てられている。内部柱５９は、所定の柱間隔で建てられ、内部柱５９と内部柱５９の間には、扁平梁６５が架けられている。これにより、内部柱５８の列と内部柱５９の列で囲まれた廊下用のエリア７９が形成される。エリア７９は、内部柱５８と内部柱５９間に設けられた壁（図示せず）で仕切られ、廊下とされる。ここに、３つの廊下用のエリア７７、７８、７９で三角形が構成されている。
【００６５】
そして、内部柱５５の列、５７の列、５９の列で三角形状に囲まれたナースステーション用のエリア９８が形成される。エリア９８は、間仕切壁（図示せず）で仕切られ、ナースステーションとされる。他の構成は、第１の実施の形態と同じ構成であり、説明は省略する。
【００６６】
このように、構造体５２の一部である構造体５２Ｔ、５２Ｕが直線状に外に突き出し、三角形状とされ、ナースステーション用のエリア９８の平面形状も、頂点の一部が切り欠かれた三角形とされている。これにより、構造体５２Ｔ、５２Ｕが四角形状に突き出した構造と比較すると角部屋が１つになるので、突き出し部に病室用のエリア７４、７５を効率よく配置できる。
【００６７】
なお、図６に示すエリア１００は、病室でなく事務管理エリアである。係るエリア１００においても、第１の実施の形態が適用できる。即ち、第１の実施の形態で説明したように、部屋の大きさに関わりなく、部屋の用途に応じた最適な柱割とすることができる。詳細な説明は省略する。
【００６８】
図７には、病室用のエリア７４、７５、７６、ナースステーション用のエリア９８を、それぞれ間仕切り壁で仕切って、病室１０６、１０８、１１０、及びナースステーション１１２を配置した一例を示す。それぞれの空間を最適柱割とすることができ、効率のよい配置ができる。また、構造体５２の平面形状に変化を持たせることができ、変化に富んだ病室１０６、１０８、１１０のレイアウトが可能となる。  
【図面の簡単な説明】
【００６９】
【図１】本発明の第１の実施の形態に係る構造物の水平断面を示す図である。
【図２】本発明の第１の実施の形態に係る構造物の構造体を示す図である。
【図３】従来例の構造物における柱梁構造と部屋配置の例を示す図である。
【図４】本発明の第１の実施の形態に係る構造物の垂直断面を示す図である。
【図５】本発明の第１の実施の形態に係る構造物の病室の間取りを示す図である。
【図６】本発明の第２の実施の形態に係る構造物の水平断面を示す図である。
【図７】本発明の第２の実施の形態に係る構造物の病室及びナースステーションの配置例を示す図である。
【図８】従来例の構造物における機能室の天井高さを確保する技術を示す図である。
【符号の説明】
【００７０】
１０  病院（構造物）
１２  構造体
１４  内部柱
１８  扁平梁
２３  床版（スラブ、無梁版）
２６  壁柱
２８  壁梁
３０  窓（開口部）
３２  配管部材
３４  天井材
３８  天井内空間
６６  病室用エリア（小部屋）
６７  廊下用エリア（廊下）
６８  ナースステーション用エリア（大部屋）
【図１】
2010126901.tif 000003
【図２】
2010126901.tif 000004
【図３】
2010126901.tif 000005
【図４】
2010126901.tif 000006
【図５】
2010126901.tif 000007
【図６】
2010126901.tif 000008
【図７】
2010126901.tif 000009
【図８】
2010126901.tif 000010